(57)【要約】【課題】雌側部材への雄側部材の挿入長さを容易に変えることができるとともにその挿入長さを確実に固定することのできる管継手及びその管継手を備えた貯湯式給湯機を提供すること。【解決手段】本発明の貯湯式給湯機は、管継手２０を備える貯湯式給湯機であって、管継手２０は、雌側部材２２と、雌側部材２２の内側に挿入される挿入部２１ａを有する雄側部材２１と、雌側部材２２への挿入部２１ａの挿入長さを固定する固定具２３と、を備え、雌側部材２２は、固定具２３と噛み合う噛合部（フランジ部２２ａ）を有し、雄側部材２１は、固定具と噛み合う噛合部（第一凸部２１ｂ及び第二凸部２１ｃ）を、挿入部２１ａの軸方向の位置が異なる複数の箇所に有し、固定具２３と噛み合う雄側部材２１の噛合部の位置を変えることで雌側部材２２への挿入部２１ａの挿入長さが変わる。【選択図】図３
2015203540.tif 000002
【特許請求の範囲】
【請求項１】
管継手を備える貯湯式給湯機であって、
前記管継手は、
雌側部材と、
前記雌側部材の内側に挿入される挿入部を有する雄側部材と、
前記雌側部材への前記挿入部の挿入長さを固定する固定具と、
を備え、
前記雌側部材は、前記固定具と噛み合う噛合部を有し、
前記雄側部材は、前記固定具と噛み合う噛合部を、前記挿入部の軸方向の位置が異なる複数の箇所に有し、
前記固定具と噛み合う前記雄側部材の前記噛合部の位置を変えることで前記雌側部材への前記挿入部の挿入長さが変わる貯湯式給湯機。
【請求項２】
前記雄側部材の前記噛合部は、前記軸方向に沿って並ぶ複数の第一噛合部と、前記第一噛合部に対し前記挿入部の周方向に異なる位置において前記軸方向に沿って並ぶ複数の第二噛合部とを含み、
前記第一噛合部の位置と前記第二噛合部の位置とが前記軸方向にずれている請求項１に記載の貯湯式給湯機。
【請求項３】
前記雄側部材の前記噛合部が前記固定具に接触することで前記固定具の回転が防止される請求項１または請求項２に記載の貯湯式給湯機。
【請求項４】
前記雌側部材及び前記雄側部材の一方または両方が共通の部品で構成された複数の前記管継手を備える請求項１から請求項３のいずれか一項に記載の貯湯式給湯機。
【請求項５】
雌側部材と、
前記雌側部材の内側に挿入される挿入部を有する雄側部材と、
前記雌側部材への前記挿入部の挿入長さを固定する固定具と、
を備え、
前記雌側部材は、前記固定具と噛み合う噛合部を有し、
前記雄側部材は、前記固定具と噛み合う噛合部を、前記挿入部の軸方向の位置が異なる複数の箇所に有し、
前記固定具と噛み合う前記雄側部材の前記噛合部の位置を変えることで前記雌側部材への前記挿入部の挿入長さが変わる管継手。
【発明の詳細な説明】
【技術分野】
【０００１】
本発明は、貯湯式給湯機及び管継手に関する。
【背景技術】
【０００２】
ヒートポンプ等の加熱手段によって水を加熱して得られた高温の湯を貯湯タンクに貯留し、必要時に貯湯タンクから湯を取り出して給湯端末に供給するよう構成された貯湯式給湯機が広く用いられている。貯湯式給湯機は、各種の配管及び機能部品を接続するため、多くの管継手を備えている。それらの管継手は、形状（Ｌ字型、Ｔ字型など）及び長さが異なるため、共通化が困難で、専用の部品が必要になることが多い。そのため、形状及び長さの異なる各種の管継手に専用の成型金型を用意しなければならず、製造コストが高いという問題がある。
【０００３】
下記特許文献１には、自由端にフランジが設けられた受けパイプと、自由端に拡大部が設けられた入りパイプと、拡大部に形成されたＯリング・シールを受けるための溝とを有し、拡大部の外径が受けパイプの内径に対して滑り適合状態で適合し、互いに軸方向に滑らせると、拡大部は受けパイプにおいて種々の軸方向位置を確保でき、受けパイプのフランジの外周に環状のコイルバネ及び環状ケージを取り付ける管継手が開示されている。
【先行技術文献】
【特許文献】
【０００４】
【特許文献１】特開平１１−１４８５８６号公報
【発明の概要】
【発明が解決しようとする課題】
【０００５】
特許文献１に開示された構成では、受けパイプ（雌側部材）と入りパイプ（雄側部材）との相対位置を確実に固定することができず、受けパイプに対する入りパイプの挿入長さが変化してしまうおそれがある。そのため、受けパイプに対する入りパイプの挿入長さを適正な長さに保持することが困難である。
【０００６】
本発明は、上述のような課題を解決するためになされたもので、雌側部材への雄側部材の挿入長さを容易に変えることができるとともにその挿入長さを確実に固定することのできる管継手及びその管継手を備えた貯湯式給湯機を提供することを目的とする。
【課題を解決するための手段】
【０００７】
本発明に係る貯湯式給湯機は、管継手を備える貯湯式給湯機であって、管継手は、雌側部材と、雌側部材の内側に挿入される挿入部を有する雄側部材と、雌側部材への挿入部の挿入長さを固定する固定具と、を備え、雌側部材は、固定具と噛み合う噛合部を有し、雄側部材は、固定具と噛み合う噛合部を、挿入部の軸方向の位置が異なる複数の箇所に有し、固定具と噛み合う雄側部材の噛合部の位置を変えることで雌側部材への挿入部の挿入長さが変わるものである。
【発明の効果】
【０００８】
本発明によれば、雌側部材への雄側部材の挿入長さを容易に変えることができるとともにその挿入長さを確実に固定することのできる管継手及びその管継手を備えた貯湯式給湯機を提供することが可能となる。
【図面の簡単な説明】
【０００９】
【図１】本発明の実施の形態１の貯湯式給湯機を示す構成図である。
【図２】本発明の実施の形態１の管継手を示す斜視図である。
【図３】図２に示す管継手の分解斜視図である。
【図４】図２に示す管継手の一部を拡大して示す斜視図である。
【図５】図４に示す管継手の雄側部材の一方の挿入部の雌側部材への挿入長さを変えた状態を示す斜視図である。
【図６】本発明の実施の形態２の管継手の一部を拡大して示す斜視図である。
【図７】本発明の実施の形態３の貯湯式給湯機の貯湯タンクユニットを模式的に示す図である。
【図８】雌側部材のバリエーションの例を説明するための図である。
【図９】雌側部材のバリエーションの例を説明するための図である。
【図１０】雌側部材のバリエーションの例を説明するための図である。
【図１１】雌側部材のバリエーションの例を説明するための図である。
【図１２】雄側部材のバリエーションの例を説明するための図である。
【図１３】雄側部材のバリエーションの例を説明するための図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す構成図である。図１に示すように、本実施の形態１の貯湯式給湯機１は、貯湯タンクユニット４０と、ヒートポンプユニット５０とを有する。貯湯タンクユニット４０は、略円筒形状をなす貯湯タンク１０と、略直方体形状をなす外装ケース３０とを有する。貯湯タンク１０は、断熱部材に覆われた状態で、外装ケース３０内に収容されている。ヒートポンプユニット５０は、水を加熱して湯を生成する加熱手段として機能する。貯湯タンク１０に貯留された湯は、必要に応じて所定の給湯先に供給される。なお、本発明における加熱手段は、ヒートポンプ式のものに限定されるものではなく、例えば、貯湯タンク１０内にヒータを設置する構成など、いかなる構成でも良い。
【００１２】
貯湯タンク１０の下部には、給水配管１１と、貯湯タンク１０内の低温水をヒートポンプユニット５０に送るためのヒートポンプ往き配管１３ａとが接続されている。また、貯湯タンク１０の上部には、ヒートポンプユニット５０により熱せられた湯を貯湯タンク１０内へ戻すためのヒートポンプ戻り配管１３ｂが接続されている。給湯配管１２は、浴室のシャワーや台所の蛇口等の所定の給湯栓（図示せず）に給湯するための配管である。ふろ往き配管１４は、浴槽（図示省略）に給湯するための配管である。
【００１３】
貯湯タンクユニット４０の外装ケース３０の上面は、天板３２で構成されている。また、外装ケース３０の下部には、前面側が引っ込んだ、蹴込み部３１が形成されている。蹴込み部３１には、上述した給水配管１１、ヒートポンプ往き配管１３ａ、ヒートポンプ戻り配管１３ｂ、給湯配管１２、ふろ往き配管１４の各々を貯湯タンクユニット４０内に引き込むための、または貯湯タンクユニット４０内から引き出すための配管接続部がそれぞれ設けられている。
【００１４】
外装ケース３０の下部には支持脚３５が接続されている。各支持脚３５を、コンクリート製の土台Ｃに設置されたアンカーボルト（図示省略）に固定することにより、貯湯タンクユニット４０が土台Ｃに据え付けられている。なお、上記の配管接続部及び配管接続部に接続された各配管を覆い隠して貯湯タンクユニット４０の意匠性を向上させるために、外装ケース３０の下方には配管カバー（図示省略）が設けられる。
【００１５】
上述の構成を有する貯湯式給湯機１では、給水配管１１からの給水により貯湯タンク１０内が上層の高温湯と下層の低温水とで常時満水状態に保たれると共に、貯湯タンク１０内の湯水に給水配管１１から常時送水圧が付与される。沸き上げ運転時には、貯湯タンク１０内の下部にある低温水がヒートポンプ往き配管１３ａを通ってヒートポンプユニット５０内の熱交換器（放熱器）に送られ、熱交換器で沸き上げられて高温の湯となる。その高温の湯は、ヒートポンプ戻り配管１３ｂを通って貯湯タンク１０に戻り、上部から貯湯タンク１０内に流入する。
【００１６】
また、給湯時には、給水配管１１からの送水圧により貯湯タンク１０内の高温の湯が給湯管路に流入し、その高温の湯と給水配管１１からの低温水とが混合弁によって混合されることにより、使用者がリモートコントローラ（図示省略）等で設定した給湯温度の湯が生成され、その湯が給湯配管１２あるいはふろ往き配管１４を通って、浴室、台所等の所定の給湯先の給湯栓あるいは浴槽に供給される。
【００１７】
詳細な図示を省略するが、貯湯タンクユニット４０の内部には、貯湯タンク１０のほか、各配管類、ポンプ、弁、熱交換器等の各機能部品などが設けられ、それらの間を接続するための複数の管継手２０が備えられている。以下、そのうちの一つの管継手２０の構成について詳細に説明する。
【００１８】
図２は、本実施の形態１の管継手２０を示す斜視図である。図３は、図２に示す管継手２０の分解斜視図である。図４は、図２に示す管継手２０の一部を拡大して示す斜視図である。
【００１９】
図２に示すように、本実施の形態１の管継手２０は、ほぼ直角に曲がるＬ字型のエルボである。ただし、本発明の管継手は、このようなＬ字型のものに限定されず、曲がる角度が異なる形状のもの、Ｔ字型のもの、Ｉ字型（真っ直ぐな形状）のものなど、いかなる形状のものでも良い。
【００２０】
図３に示すように、管継手２０は、雄側部材２１と、雌側部材２２と、固定具２３とを備える。雄側部材２１は、雌側部材２２の内側に挿入される挿入部２１ａを有する。本実施の形態１の雄側部材２１は、両端側にそれぞれ挿入部２１ａを有し、一方の挿入部２１ａと、他方の挿入部２１ａとがほぼ直角をなす。各々の挿入部２１ａに雌側部材２２及び固定具２３を装着可能である。固定具２３は、雌側部材２２への挿入部２１ａの挿入長さを固定する機能を有する。
【００２１】
本実施の形態１の雄側部材２１が備える二つの挿入部２１ａは、ほぼ同様の構成であるので、以下では、一方の挿入部２１ａについて説明する。挿入部２１ａの先端部は、他の部分よりも外径が拡大している。挿入部２１ａの先端部の外周には、環状の溝が形成されている。挿入部２１ａの先端部の外周の環状の溝にＯリング１９（シール部材）が取り付けられている。挿入部２１ａを雌側部材２２の内側に挿入したとき、Ｏリング１９が雌側部材２２の内周面に密着して摺動することで、雄側部材２１と雌側部材２２との接続部の液密性が確保される。
【００２２】
雄側部材２１は、固定具２３と噛み合うことのできる噛合部を、挿入部２１ａの軸方向の位置が異なる複数の箇所に有する。本実施の形態１では、雄側部材２１の噛合部は、挿入部２１の外側（外周面）に形成された凸部で構成されている。また、本実施の形態１の雄側部材２１は、この凸部として、複数の第一凸部２１ｂ（第一噛合部）と、複数の第二凸部２１ｃ（第二噛合部）とを有する。複数の第一凸部２１ｂは、挿入部２１ａの軸方向に沿って、等間隔で並んでいる。複数の第二凸部２１ｃは、複数の第一凸部２１ｂに対し、挿入部２１ａの周方向に異なる位置に形成されている。本実施の形態１では、複数の第二凸部２１ｃは、複数の第一凸部２１ｂに比べ、挿入部２１ａの中心軸に対して９０°異なる位置に形成されている。複数の第二凸部２１ｃは、挿入部２１ａの軸方向に沿って、等間隔で並んでいる。第一凸部２１ｂの配列ピッチと、第二凸部２１ｃの配列ピッチとは等しい。第一凸部２１ｂの位置と、第二凸部２１ｃの位置とは、挿入部２１ａの軸方向にずれている。本実施の形態１では、そのずれの大きさは、第一凸部２１ｂの配列ピッチ（すなわち第二凸部２１ｃの配列ピッチ）の２分の１程度になっている。なお、雄側部材２１の噛合部は、本実施の形態１のような凸部に限定されるものではなく、例えば凹部で構成しても良い。
【００２３】
雌側部材２２は、固定具２３と噛み合うことのできる噛合部を有する。本実施の形態１では、雌側部材２２の噛合部は、雄側部材２１の挿入部２１ａが挿入される雌側開口部の外周側に突出するフランジ部２２ａで構成されている。本実施の形態１の雌側部材２２は、挿入部２１ａが挿入される雌側開口部と反対側に、他の配管または機能部品の雌側開口部（図示省略）に挿入される挿入部２２ｂを有する。この挿入部２２ｂの外周には、環状のＯリング取り付け溝２２ｃが設けられている。本発明における雌側部材２２では、挿入部２１ａが挿入される雌側開口部以外の部分の形状は、上記形状に限定されるものでなく、後述する実施の形態３で説明するように、各種の形状とすることが可能である。また、雌側部材２２の噛合部は、本実施の形態１のようなフランジ部２２ａに限定されるものではなく、例えば突起で構成しても良い。雄側部材２１及び雌側部材２２の構成材料は、特に限定されないが、軽量かつ安価に製造できること、腐食しにくいことなどから、樹脂材料が好ましい。
【００２４】
固定具２３は、雄側部材２１が有する上記凸部のうちの一部と、雌側部材２２のフランジ部２２ａとに噛み合うことで、雌側部材２２への挿入部２１ａの挿入長さを固定する。本実施の形態１の固定具２３は、弾性を有する材料（金属材料など）で構成されている。固定具２３は、雄側部材２１及び雌側部材２２を挟む形状をなしている。固定具２３を開くように弾性変形させることで、雄側部材２１及び雌側部材２２を挟むように固定具２３を取り付けることができる。固定具２３を取り付けた状態では、固定具２３の弾性力により、固定具２３が雄側部材２１及び雌側部材２２を締め付ける。
【００２５】
固定具２３は、フランジ部２２ａが挿入する一対の溝２３ａと、雄側部材２１の挿入部２１ａの外周を挟んで締め付ける一対の第一締め付け部２３ｂと、雌側部材２２の外周を挟んで締め付ける一対の第二締め付け部２３ｃとを有する。第一締め付け部２３ｂは、挿入部２１ａの外周面に接触し得る円弧状に湾曲している。第二締め付け部２３ｃは、雌側部材２２の外周面に接触し得る円弧状に湾曲している。第一締め付け部２３ｂと第二締め付け部２３ｃとの間の隙間が溝２３ａになっている。溝２３ａの幅は、フランジ部２２ａの厚みにほぼ等しい。図４に示すように、溝２３ａにフランジ部２２ａが挿入することで、固定具２３と雌側部材２２との軸方向の位置が固定される。第一締め付け部２３ｂが第一凸部２１ｂまたは第二凸部２１ｃと噛み合うことで、固定具２３と雄側部材２１との軸方向の位置が固定される。このようにして、雄側部材２１と雌側部材２２との軸方向の位置が固定具２３を介して固定される。
【００２６】
このような管継手２０では、雄側部材２１に対する固定部２３の噛み合い位置を変えることで、雌側部材２２への挿入部２１ａの挿入長さを変えることができる。すなわち、固定具２３の第一締め付け部２３ｂが噛み合う凸部（噛合部）の位置を変えることで、雌側部材２２への挿入部２１ａの挿入長さを変えることができる。本実施の形態１では、固定具２３の第一締め付け部２３ｂは、第一凸部２１ｂと噛み合うことができる。また、その状態から固定具２３を挿入部２１ａおよび雌側部材２２の中心軸の周りに９０°回転させることで、固定具２３の第一締め付け部２３ｂは、第二凸部２１ｃと噛み合うことができる。また、本実施の形態１の管継手２０では、雄側部材２１の一方の挿入部２１ａの雌側部材２２への挿入長さ（図３中のＡ方向）と、他方の挿入部２１ａの雌側部材２２への挿入長さ（図３中のＢ方向）とをそれぞれ変えることができる。
【００２７】
図４に示すように、雄側部材２１の一方の挿入部２１ａ（図４中で右上側の挿入部２１ａ）では、固定具２３の第一締め付け部２３ｂが複数の第一凸部２１ｂのうちの一部と噛み合っている。例えば、この噛み合いの位置を、図４中で一つ右の第一凸部２１ｂに移動させることで、この挿入部２１ａの挿入長さを図４の状態より短くすることができる（図示省略）。この場合、挿入部２１ａの挿入長さの変化は、第一凸部２１ｂの配列ピッチに等しい。このようにして、本実施の形態１では、第一凸部２１ｂの配列ピッチに等しいピッチで、挿入部２１ａの挿入長さを調整することができる。
【００２８】
また、雄側部材２１の他方の挿入部２１ａ（図４中で左下側の挿入部２１ａ）では、固定具２３の第一締め付け部２３ｂが複数の第二凸部２１ｃのうちの一部と噛み合っている。例えば、この噛み合いの位置を、図４中で一つ下の第二凸部２１ｃに移動させることで、この挿入部２１ａの挿入長さを図４の状態より短くすることができる（図示省略）。この場合、挿入部２１ａの挿入長さの変化は、第二凸部２１ｃの配列ピッチに等しい。このようにして、本実施の形態１では、第二凸部２１ｃの配列ピッチに等しいピッチで、挿入部２１ａの挿入長さを調整することができる。
【００２９】
固定具２３の第一締め付け部２３ｂの幅は、隣り合う第一凸部２１ｂ間に形成される溝の幅にほぼ等しく、隣り合う第二凸部２１ｃ間に形成される溝の幅にほぼ等しい。このため、固定具２３が挿入部２１ａの軸方向にずれることが確実に抑制される。
【００３０】
このようにして、本実施の形態１の管継手２０によれば、雌側部材２２への雄側部材２１の挿入部２１ａの挿入長さを容易に変えることができるとともに、その挿入長さを確実に固定することができる。そのため、挿入部２１ａの挿入長さを調整することで、配管及び機能部品類を接続する相手方の形状または長さが異なった箇所でも、共通の管継手２０を使用できる。その結果、貯湯式給湯機１で使用される複数の管継手２０の部品の共通化を図ることができるので、専用の樹脂成型金型が必要になることを抑制でき、金型の製作に要するコストを抑制できる。また、部品の共通化により、一つの部品の製造数量が増え、金型多数個取りが可能となるので、部品の単価（加工費）を低減することもできる。
【００３１】
特に、本実施の形態１では、雄側部材２１が備える二つの挿入部２１ａの雌側部材２２への挿入長さ（図３中のＡ方向及びＢ方向）をそれぞれ変えることができるので、管継手２０の汎用性が高く、貯湯式給湯機１における管継手２０の部品の共通化をさらに推進することができる。
【００３２】
図５は、図４に示す管継手２０の雄側部材２１の一方の挿入部２１ａの雌側部材２２への挿入長さを変えた状態を示す斜視図である。図５に示す状態では、雄側部材２１の一方の挿入部２１ａ（図５中で右上側の挿入部２１ａ）では、固定具２３の第一締め付け部２３ｂが複数の第二凸部２１ｃのうちの一部と噛み合っている。この図５の状態では、図４の状態に比べて、当該挿入部２１ａの挿入長さが短くなっている。図５の状態と図４の状態とで、挿入部２１ａの挿入長さの変化は、第一凸部２１ｂの配列ピッチ（すなわち第二凸部２１ｃの配列ピッチ）の２分の１程度である。このようにして、本実施の形態１では、第一凸部２１ｂの配列ピッチ（すなわち第二凸部２１ｃの配列ピッチ）の２分の１程度のピッチで、挿入部２１ａの挿入長さを調整することができる。
【００３３】
このように、本実施の形態１では、雄側部材２１の挿入部２１ａの周方向の異なる位置に、軸方向の位置がずれた二組の噛合部（第一凸部２１ｂ及び第二凸部２１ｃ）を設けたことで、挿入部２１ａの雌側部材２２への挿入長さをより多段階に（より細かいピッチで）調整することができる。ただし、本発明では、挿入部２１ａに設ける噛合部を一組のみ（第一凸部２１ｂ及び第二凸部２１ｃのいずれか一方のみ）にしても良い。あるいは、挿入部２１ａの周方向の異なる位置に、軸方向の位置がずれた三組以上の噛合部を設けることで、挿入部２１ａの雌側部材２２への挿入長さを本実施の形態１よりもさらに多段階に（さらに細かいピッチで）調整可能にしても良い。
【００３４】
実施の形態２．
次に、図６を参照して、本発明の実施の形態２について説明するが、上述した実施の形態１との相違点を中心に説明し、同一部分または相当部分は同一符号を付し説明を省略する。図６は、本発明の実施の形態２の管継手２０の一部を拡大して示す斜視図である。
【００３５】
図６に示すように、本実施の形態２の管継手２０では、挿入部２１ａの周方向における第一凸部２１ｂ及び第二凸部２１ｃの長さ（図６中のＬで示す寸法）が実施の形態１に比べて長くなっている。図６に示す状態では、固定具２３の第一締め付け部２３ｂが複数の第一凸部２１ｂのうちの一部と噛み合っている。そして、固定具２３の第一締め付け部２３ｂと噛み合っていない、複数の第二凸部２１ｃのうちの一部が、一対の第一締め付け部２３ｂの間に位置する。このため、固定具２３が挿入部２１ａおよび雌側部材２２の中心軸の周りに回転しようとすると、第二凸部２１ｃが第一締め付け部２３ｂに接触することで、固定具２３の回転が防止される。そのため、本実施の形態２によれば、固定具２３が自然に回転してしまうことを確実に防止することができ、固定具２３による固定を確実に保持することができる。なお、図示を省略するが、固定具２３の第一締め付け部２３ｂが複数の第二凸部２１ｃのうちの一部と噛み合っている場合には、複数の第一凸部２１ｂのうちの一部が、一対の第一締め付け部２３ｂの間に位置することで、上記と同様にして固定具２３の回転が防止される。
【００３６】
実施の形態３．
次に、図７を参照して、本発明の実施の形態３について説明するが、上述した実施の形態１との相違点を中心に説明し、同一部分または相当部分は同一符号を付し説明を省略する。図７は、本発明の実施の形態３の貯湯式給湯機１の貯湯タンクユニット４０を模式的に示す図である。
【００３７】
図７に示すように、本実施の形態３の貯湯式給湯機１の貯湯タンクユニット４０は、本発明の管継手２０Ａ，２０Ｂ，２０Ｃ，２０Ｄ及び２０Ｅを備える。管継手２０Ａ〜２０Ｅの雄側部材と雌側部材との接続構造は、実施の形態１と同様であるので、詳細な図示及び説明を省略する。また、管継手２０Ａ〜２０Ｅは、実施の形態１と同様の固定具２３を備えるが、図示を省略する。
【００３８】
管継手２０Ａは、Ｌ字型の雄側部材２１Ａと、雄側部材２１Ａの一方の挿入部２１ａに接続された雌側部材２２Ａと、雄側部材２１Ａの他方の挿入部２１ａに接続された雌側部材２２Ｂとを有する。管継手２０Ｂは、雄側部材２１Ａと、雄側部材２１Ａの一方の挿入部２１ａに接続された雌側部材２２Ｂと、雄側部材２１Ａの他方の挿入部２１ａに接続された雌側部材２２Ｃとを有する。管継手２０Ｃは、三個の挿入部２１ａを有するＴ字型の雄側部材２１Ｂと、雄側部材２１Ｂの第一の挿入部２１ａに接続された雌側部材２２Ａと、雄側部材２１Ｂの第二の挿入部２１ａに接続された雌側部材２２Ｃと、雄側部材２１Ｂの第三の挿入部２１ａに接続された雌側部材２２Ｄとを有する。管継手２０Ｄは、Ｉ字型の雄側部材２１Ｃと、雄側部材２１Ｃの一方の挿入部２１ａに接続された雌側部材２２Ａと、雄側部材２１Ｃの他方の挿入部２１ａに接続された雌側部材２２Ｄとを有する。管継手２０Ｅは、Ｌ字型の雄側部材２１Ｄと、雄側部材２１Ｄの一方の挿入部２１ａに接続された雌側部材２２Ａと、雄側部材２１Ｄの他方の挿入部２１ａに接続された雌側部材２２Ｃとを有する。
【００３９】
雄側部材２１Ａは、管継手２０Ａ及び２０Ｂに共通の部品である。雌側部材２２Ａは、管継手２０Ａ，２０Ｃ，２０Ｄ及び２０Ｅに共通の部品である。雌側部材２２Ｂは、管継手２０Ａ及び２０Ｂに共通の部品である。雌側部材２２Ｃは、管継手２０Ｂ、２０Ｃ及び２０Ｅに共通の部品である。雌側部材２２Ｄは、管継手２０Ｃ及び２０Ｄに共通の部品である。
【００４０】
このように、本実施の形態３の貯湯式給湯機１では、複数の管継手２０Ａ〜２０Ｅにおいて、雄側部材及び雌側部材の一方または両方を共通の部品で構成することができる。このため、専用の樹脂成型金型が必要になることを抑制でき、金型の製作に要するコストを抑制できる。また、部品の共通化により、一つの部品の製造数量が増え、金型多数個取りが可能となるので、部品の単価（加工費）を低減することもできる。これらのことから、貯湯式給湯機１の製造コストを低減することが可能となる。
【００４１】
図８から図１１は、雌側部材２２のバリエーションの例を説明するための図である。便宜上、図８から図１１の雌側部材にそれぞれ２２Ｅ〜２２Ｈの符号を付す。図７の雌側部材２２Ａ〜２２Ｄとして、例えば図８から図１１に示すような各種の雌側部材２２Ｅ〜２２Ｈを用いることができる。
【００４２】
図８に示す雌側部材２２Ｅは、雄側部材２１と接続される雌側開口部と反対側に、他の配管または機能部品の雌側開口部（図示省略）に挿入される挿入部２２ｂを有する。この挿入部２２ｂの外周には、環状のＯリング取り付け溝２２ｃが２個形成されている。このため、この雌側部材２２Ｅは、挿入部２２ｂの外周に２個のＯリング（図示省略）を取り付けることが可能となる。
【００４３】
図９に示す雌側部材２２Ｆは、雄側部材２１と接続される雌側開口部と反対側に、他の配管または機能部品の雄側挿入部（図示省略）が挿入される雌側開口部２２ｄを有する。図１０に示す雌側部材２２Ｇは、水抜栓２２ｅが一体的に設けられた形状をなしている。図１１に示す雌側部材２２Ｈは、雄側部材２１と接続される雌側開口部と反対側に、ホース（図示省略）と接続可能なホース取り付け部２２ｆを有する。
【００４４】
図１２及び図１３は、雄側部材２１のバリエーションの例を説明するための図である。便宜上、図１２及び図１３の雄側部材にそれぞれ２１Ｅ及び２２Ｆの符号を付す。図７のＬ字型の雄側部材２１Ａ，２１Ｄとして、例えば図１２に示すような雄側部材２１Ｅを用いることができる。また、図７のＴ字型の雄側部材２１Ｂとして、例えば図１３に示すような雄側部材２１Ｆを用いることができる。
【００４５】
図１２に示す雄側部材２１Ｅは、Ｌ字型の形状をなし、その角部に、サーミスタを取り付けるためのサーミスタ固定用構造２１ｄを有する。このように、本発明における雄側部材２１では、Ｌ字型、Ｔ字型、Ｉ字型などのバリエーションだけでなく、サーミスタ固定用構造２１ｄのような機能構造の有無などにも対応することが可能である。
【００４６】
図１３に示す雄側部材２１Ｆは、Ｔ字型の形状をなし、３個の挿入部２１ａを有する。挿入部２１ａの先端部には、キャップ２４が取り付け可能である。キャップ２４は、挿入部２１ａの先端の開口を液密に封止する。図１３に示すように、雄側部材２１Ｆの中央の挿入部２１ａにキャップ２４を装着することで、雄側部材２１Ｆを実質的にＩ字型の雄側部材として使用することができる。また、図示を省略するが、雄側部材２１Ｆの他の挿入部２１ａにキャップ２４を装着することで、雄側部材２１Ｆを実質的にＬ字型の雄側部材として使用することができる。このように構成することで、Ｌ字型、Ｔ字型及びＩ字型の雄側部材２１を共通の部品とすることができるので、部品の共通化をさらに推進することができる。なお、図示を省略するが、本発明では、４個またはそれ以上の挿入部２１ａを有する雄側部材２１を用いても良い。
【００４７】
以上、本発明の実施の形態について説明したが、本発明では、上述した複数の実施の形態の特徴を任意に組み合わせて実施しても良い。また、本発明の管継手は、貯湯式給湯機以外にも、流体の流路を有する各種の機器に適用することが可能である。
【符号の説明】
【００４８】
１  貯湯式給湯機、１０  貯湯タンク、１１  給水配管、１２  給湯配管、１３ａ  ヒートポンプ往き配管、１３ｂ  ヒートポンプ戻り配管、１４  ふろ往き配管、１９  Ｏリング、２０，２０Ａ，２０Ｂ，２０Ｃ，２０Ｄ，２０Ｅ  管継手、２１，２１Ａ，２１Ｂ，２１Ｃ，２１Ｄ，２１Ｅ，２１Ｆ  雄側部材、２１ａ  挿入部、２１ｂ  第一凸部、２１ｃ  第二凸部、２１ｄ  サーミスタ固定用構造、２２，２２Ａ，２２Ｂ，２２Ｃ，２２Ｄ，２２Ｅ，２２Ｆ，２２Ｇ，２２Ｈ  雌側部材、２２ａ  フランジ部、２２ｂ  挿入部、２２ｃ  Ｏリング取り付け溝、２２ｄ  雌側開口部、２２ｅ  水抜栓、２２ｆ  ホース取り付け部、２３  固定具、２３ａ  溝、２３ｂ  第一締め付け部、２３ｃ  第二締め付け部、２４  キャップ、３０  外装ケース、３１  蹴込み部、３２  天板、３５  支持脚、４０  貯湯タンクユニット、５０  ヒートポンプユニット
【図１】
2015203540.tif 000003
【図２】
2015203540.tif 000004
【図３】
2015203540.tif 000005
【図４】
2015203540.tif 000006
【図５】
2015203540.tif 000007
【図６】
2015203540.tif 000008
【図７】
2015203540.tif 000009
【図８】
2015203540.tif 000010
【図９】
2015203540.tif 000011
【図１０】
2015203540.tif 000012
【図１１】
2015203540.tif 000013
【図１２】
2015203540.tif 000014
【図１３】
2015203540.tif 000015